(57)【要約】      （修正有）【課題】ストーマパウチとベルト本体との着脱が片手でおこなえ、かつベルト本体と身体との密着性が向上したストーマパウチ用ベルトを提供する。【解決手段】ストーマパウチ用ベルト１００は、ストーマパウチ１２０を片手で係止自在とする係止具１０１及び１０２を備え、身体の胴部表面に巻回され、一面に面ファスナ１１１が形成されているベルト本体１１０と、ベルト本体１１０の一端に固定されている係止具１０１と、ベルト本体１１０の長手方向に移動自在に保持されている係止具１０２と、ベルト本体１１０の端部に設けられた、ベルト本体１１０が長手方向に折り返されたときに端部と重なり合う部分で、面ファスナ１１１と係合する面ファスナ１１２を備えている。【選択図】図１
0003145805.tif 000002
【実用新案登録請求の範囲】
【請求項１】
ストーマパウチを片手で係止自在とする係止具を備えたストーマパウチ用ベルトであって、
身体の胴部表面に巻回され、一面に第１の面ファスナが形成されているベルト本体と、
前記ベルト本体の一端に固定される第１の係止具と、
前記ベルト本体の長手方向に移動自在に保持されている第２の係止具と、
前記ベルト本体の端部に設けられた、前記ベルト本体が長手方向に折り返されたときに前記端部と重なり合う部分で、前記第１の面ファスナと係合する第２の面ファスナと、
を含む
ことを特徴とするストーマパウチ用ベルト。
【考案の詳細な説明】
【技術分野】
【０００１】
本考案は、ストーマパウチ用ベルトに関する。
【背景技術】
【０００２】
人工肛門や人工膀胱などを身体の腹部に形成することにより排泄を可能とする治療が行われている。このような人工肛門や人工膀胱は自らの意志により排泄を制御できないため、人工肛門や人工膀胱に、袋（ストーマパウチ）を装着して排泄物を収容する。
【０００３】
したがって、ストーマパウチの洗浄や交換のために、取り外ししやすいことが求められる。一方、日常生活において、ストーマパウチが外れたりずれたりしないように、ストーマパウチは身体に安定して装着されなければならない。
【０００４】
そこで、特許文献１では、中央に孔を有する第一部材および第二部材と、これらの部材を覆う支持ベルトを備えた人工肛門用装具が記載されている。
【特許文献１】特開２００８−１４２２２２号公報
【考案の開示】
【考案が解決しようとする課題】
【０００５】
しかしながら、特許文献１に記載されたような人工肛門用装具では、排泄物収容袋の口部分を第一部材および第二部材で挟み込む構造であるため、排泄物収容袋の口部分を孔に挿通する作業が生じ、また、ベルト本体と排泄物収容袋との着脱を両手で行わなければならないといった問題があった。また、第一部材と第二部材が重なる構造となるため、ベルト本体の厚みよりさらに厚みが生じてしまう。このため、装具を身体に巻回したときに、ベルト本体と身体との密着性が低下し、また厚み部分により不快感が生じる場合があった。
【０００６】
本考案は、上記のような課題を鑑みてなされたものであり、ストーマパウチとベルト本体との着脱が片手でおこなえ、かつベルト本体と身体との密着性が向上したストーマパウチ用ベルトを提供するものである。
【課題を解決するための手段】
【０００７】
本考案のトーマパウチ用ベルトは、ストーマパウチを片手で係止自在とする係止具を備えたストーマパウチ用ベルトであって、身体の胴部表面に巻回され、一面に第１の面ファスナが形成されているベルト本体と、前記ベルト本体の一端に固定される第１の係止具と、前記ベルト本体の長手方向に移動自在に保持されている第２の係止具と、前記ベルト本体の端部に設けられた、前記ベルト本体が長手方向に折り返されたときに前記端部と重なり合う部分で、前記第１の面ファスナと係合する第２の面ファスナと、を含むことを特徴とする。
【０００８】
すなわち、ストーマパウチを片手で係止自在とする係止具を用いているため、ストーマパウチとベルト本体との着脱が片手でおこなえる。また、第１の面ファスナと係合する第２の面ファスナによってベルト本体の長さ調節が容易となるとともに、身体に巻回したときに、ベルト本体の端部に設けられた第２の面ファスナが折り返されて固定されるため、ベルト本体の凹凸が低減しベルト本体と身体とがより密着できる。
【０００９】
したがって、ストーマパウチとベルト本体との着脱が片手でおこなえ、かつベルト本体と身体との密着性が向上できる。
【考案の効果】
【００１０】
本考案によれば、ストーマパウチとベルト本体との着脱が片手でおこなえ、かつベルト本体と身体との密着性が向上したストーマパウチ用ベルトを提供することができる。
【考案を実施するための最良の形態】
【００１１】
本考案の第１実施形態を以下に説明する。図１は、本考案の第１実施形態を模式的に示す斜視図である。
【００１２】
ストーマパウチ用ベルト１００は、ストーマパウチ１２０を片手で係止自在とする（第１の）係止具１０１及び（第２の）係止具１０２を備え、身体の胴部表面に巻回され、一面に（第１の）面ファスナ１１１が形成されているベルト本体１１０と、ベルト本体１１０の一端に固定されている係止具１０１と、ベルト本体１１０の長手方向に移動自在に保持されている係止具１０２と、ベルト本体１１０の端部に設けられた、ベルト本体１１０が長手方向に折り返されたときに端部と重なり合う部分で、面ファスナ１１１と係合する（第２の）面ファスナ１１２を備えている。
【００１３】
より詳細には、ベルト本体１１０は、ストーマが形成された身体の胴部表面に巻回されるため、この用途に適切な帯状に形成されている。
【００１４】
さらにベルト本体１１０は、例えば、一面の全面に面ファスナ１１１として機能する布体で形成されており、その端部に面ファスナ１１２が設けられている。これにより、ベルト本体１１０を折り返したときに、端部の面ファスナ１１２を、ベルト本体１１０の所望の位置で着脱自在に装着でき、ベルト本体１１０の長さを身体に合わせて調整できる。
【００１５】
また、ベルト本体１１０は、伸縮性を有する繊維が所定の方向に縫製された織物である。そのため長手方向に伸縮自在になっている。これにより、ストーマパウチ１２０をより身体に密着して保持できる。
【００１６】
また、ベルト本体１１０に用いられる繊維としては、撥水性や強度を有するものが好ましく、例えばポリウレタンなどが挙げられる。これにより、ストーマパウチ用ベルト１００が汚れにくくかつ洗濯可能となる。さらに、ベルト本体１１０の強度が向上できるため、ベルト本体１１０の幅を小さくしてもストーマパウチ１２０を安定して保持でき、身体の小さい子供や女性が使用しやすくなる。ベルト本体１１０の幅は、特に限定されないが、１０ｍｍ以上５０ｍｍ以下であることが好ましい。
【００１７】
ストーマパウチ１２０は、人工肛門に装着する開口部１２１を有した排泄物収容袋である。排泄物は、開口部１２１を介して袋内に収容される。ストーマパウチ１２０は、その開口部１２１の周囲につまみ部１２２が設けられている。つまみ部１２２が係止具１０１及び１０２により係止されることによって、ストーマパウチ用ベルト１００に保持される。
【００１８】
係止具１０１及び１０２は、先端部に一対の挟持板をそなえ、基端部にベルト本体１１０が挿通できる程度の開孔を有している。係止具１０１及び１０２は、片手で挟持板を開閉でき、それにより係止自在となっている。
【００１９】
すなわち、係止具１０１及び１０２は、ストーマパウチ１２０の開口部１２１周囲に設けられているつまみ部１２２の両側で、係止具１０１及び１０２を、開状態から（図２（ａ））、閉状態（図２（ｂ））にすることによりストーマパウチ１２０を係止する。
【００２０】
図１に示すように、係止具１０１は、基端部側がベルト本体１１０の一端に固定される。一方、係止具１０２は、ベルト本体１１０の長手方向に移動自在に保持されている。すなわち、係止具１０１が固定されていない側のベルト本体１１０の端部を１０２の開孔に挿通し、任意の位置の１０２を介してベルト本体１１０を折り返すことができる。これにより、ベルト本体１１０の長さが調節できる。
【００２１】
次に実施形態におけるストーマパウチ用ベルト１００の効果を説明する。
ストーマパウチ用ベルト１００は、ストーマパウチ１２０を片手で係止自在とする係止具１０１及び１０２を用いているため、ストーマパウチ１２０とベルト本体１１０との着脱が片手でおこなえる。また、面ファスナ１１１と係合する面ファスナ１１２によってベルト本体１１０の長さ調節が容易となるとともに、身体に巻回したときに、ベルト本体１１０の端部に設けられた面ファスナ１１２が折り返されて固定されるため、ベルト本体１１０の凹凸が低減しベルト本体１１０と身体とがより密着できる。
これにより、ストーマパウチ１２０とベルト本体１１０との着脱が片手でおこなえ、かつベルト本体１１０と身体との密着性を向上することができる。
【００２２】
また従来、バックルなどの留め具を用いて長さ調整をしていたのに対し、本実施形態におけるベルト本体１１０は、面ファスナ１１１及び１１２によって所望の位置で固定でき、長さ調整できる。これにより、留め具が身体に当たるといった問題を解消できる。
【００２３】
また、図１に示すように、身体に巻回されたベルト本体１１０の端部は、身体と反対側に折り返されるため、身体側のベルト本体１１０に段差ができないため、身体とベルト本体１１０とがより密着できる。
【００２４】
また、ストーマパウチ１２０は、つまみ部１２２を有していればよく、袋の種類や大きさは特に限定されない。そのため、人工肛門の形態や開口の大きさ、また使用者に応じて選択される袋の種類などによらず、ストーマパウチ用ベルト１００を用いることができる。
【００２５】
なお、本発明は本実施の形態に限定されるものではなく、その要旨を逸脱しない範囲で各種の変形を許容する。
【００２６】
例えば、上記実施形態では、係止具１０１及び１０２で開閉式の挟持板によりストーマパウチ１２０のつまみ部分を挟んで係止する場合について説明したが、係止具１０１及び１０２が鉤形の留め金であって、つまみ部分に係止具１０１及び１０２を引っかけて係止するものでもよい。
【００２７】
また、上記実施形態ではベルト本体１１０の一面の全面に面ファスナ１１１が形成されている場合について説明したが、面ファスナ１１１は一部であってもよく、複数の短い面ファスナ１１１が長手方向に並んだものであってもよい。
【００２８】
ベルト本体１１０に、複数の貫通孔が格子状に配列されていてもよい。これにより、通気性がよくなり、長時間快適に使用することが可能となる。
【００２９】
また、上記実施形態では係止具１０１が、予めベルト本体１１０に固定される場合について説明したが、ベルト本体１１０の両端に面ファスナ１１２が形成され、両端部を折り返して、それぞれの面ファスナ１１２と、ベルト本体１１０の端部を除く部分に形成されている面ファスナ１１１とを接合して、固定してもよい。
【図面の簡単な説明】
【００３０】
【図１】本考案の第１実施形態を模式的に示す斜視図である。
【図２】本考案の係止具の使用状態を模式的に示す上面図である。
【符号の説明】
【００３１】
１００    ストーマパウチ用ベルト
１０１    係止具
１０２    係止具
１１０    ベルト本体
１１１    面ファスナ
１１２    面ファスナ
１２０    ストーマパウチ
１２１    開口部
１２２    つまみ部
【図１】
0003145805.tif 000003
【図２】
0003145805.tif 000004